Podtech/llm-jp-corpus-v4-ja_patent huggingface dataset:
【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
ビデオ情報の暗号化されたストリームを生成する方法であって、前記ストリームは第１のビデオフレーム及び第２のビデオフレームを有するビデオフレームを表し、前記第１のビデオフレームは前記ストリームの特別なモードの再生の間アクセス可能であり、前記第２のビデオフレームは前記ストリームの特別なモードの再生の間アクセス不可能であり、前記方法は、
繰り返し変化する制御語を用いた復号化のために暗号化された元のストリームを供給するステップと、
前記ストリーム中でそれぞれの前記第１のフレームが出現する前記ストリームのセクションを識別するステップと、
それぞれの制御語が復号化のために必要とされる位置に先立って、それぞれの制御語を供給するため、前記ストリーム中に復号化情報のアイテムを含めるステップと、
を有し、前記復号化情報のアイテムの少なくとも一部が、前記セクションに同期された選択された位置において前記ストリームに含められる方法。
【請求項２】
前記第１のビデオフレームは、自分自身だけでデコードされることが可能なビデオフレームを検出することにより選択され、前記アイテムは、自分自身だけでデコードされることができるそれぞれの前記ビデオフレームからの情報で開始及び終了する前記セクションに同期された前記位置において、前記ストリーム中に含められる、請求項１に記載の方法。
【請求項３】
前記復号化情報のアイテムの少なくとも一部からのそれぞれのアイテムを、前記セクションのそれぞれに含めるステップを有する、請求項１に記載の方法。
【請求項４】
前記ストリーム中の連続する暗号期間が復号化に必要とされるそれぞれの制御語を定義し、前記復号化情報の各アイテムは第１の制御語及び第２の制御語を含み、前記第１の制御語は、前記アイテムの周囲の前記ストリーム中の第１の暗号期間から情報を復号化するためのものであり、前記第２の制御語は、前記第１の暗号期間の略中間までの前記ストリームに含まれるアイテムについては、前記第１の暗号期間に先行する第２の暗号期間から情報を復号化するためのものであり、前記第２の制御語は、前記第１の暗号期間の略中間を超えて含まれるアイテムについては、前記第１の暗号期間に後続する第３の暗号期間から情報を復号化するためのものである、請求項１に記載の方法。
【請求項５】
前記暗号化されたストリームを保存するステップと、トリック再生モードにおいて、多くとも前記セクションを含む前記ストリームの一部を選択的に取得するステップとを有する、請求項１に記載の方法。
【請求項６】
ビデオ情報の暗号化されたストリームを生成する装置であって、前記ストリームは第１のビデオフレーム及び第２のビデオフレームを有するビデオフレームを表し、前記第１のビデオフレームは前記ストリームの特別なモードの再生の間アクセス可能であり、前記第２のビデオフレームは前記ストリームの特別なモードの再生の間アクセス不可能であり、前記装置は、
前記ストリーム中でそれぞれの前記第１のフレームが出現する前記ストリームのセクションを識別するセクション識別ユニットと、
それぞれの制御語が復号化のために必要となる位置に先立って、それぞれの制御語を供給するため、前記ストリーム中に復号化情報のアイテムを挿入する挿入ユニットと、
を有し、前記挿入ユニットは、前記セクション識別ユニットによって起動され、前記復号化情報のアイテムの少なくとも一部を、検出されたセクションに同期された位置において前記ストリームに含ませる装置。
【請求項７】
前記セクション識別ユニットは、自分自身だけでデコードされることが可能なビデオフレームを検出するように構成され、前記検出されたセクションは、自分自身だけでデコードされることができるそれぞれの前記ビデオフレームからの情報で開始及び終了する、請求項６に記載の装置。
【請求項８】
前記挿入ユニットは、前記復号化情報のアイテムの少なくとも一部からのそれぞれのアイテムを、前記セクションのそれぞれに含めるように構成される、請求項６に記載の装置。
【請求項９】
前記ストリーム中の連続する暗号期間が復号化に必要とされるそれぞれの制御語を定義し、前記復号化情報の各アイテムは第１の制御語及び第２の制御語を含み、前記挿入ユニットは、前記アイテムの周囲の前記ストリーム中の第１の暗号期間から情報を復号化するため第１の制御語を選択し、前記第１の暗号期間の略中間までの前記ストリームに含まれるアイテムについては、前記第１の暗号期間に先行する第２の暗号期間から情報を復号化するため第２の制御語を選択し、前記第１の暗号期間の略中間を超えて含まれるアイテムについては、前記第１の暗号期間に後続する第３の暗号期間から情報を復号化するため第２の制御語を選択するように構成された、請求項６に記載の装置。
【手続補正書】
【提出日】平成19年2月8日(2007.2.8)
【手続補正１】
【補正対象書類名】特許請求の範囲
【補正対象項目名】全文
【補正方法】変更
【補正の内容】
【特許請求の範囲】
【請求項１】
バッキング層を含む創傷被覆材；及び
前記バッキング層に剥離可能に取り付けられた被覆材支持層であって、前記創傷被覆材の外周に沿って前記バッキング層の交互にある多数の被覆および非被覆部分を形成する放射状構造を有する、被覆材支持層；
を含む、創傷被覆材および送達システム。
【請求項２】
前記支持層が、前記被覆材の縁端に向かって前記被覆材の内部から放射状に広がる多数の延長部分を含む、請求項１に記載の創傷被覆材および送達システム。
【請求項３】
前記被覆材支持層の前記外周が、バッキング層に剥離可能に付着されるが、前記被覆材の中央に隣接する前記被覆材支持層の中央部分の少なくとも一部は、前記バッキング層に付着されない、請求項１に記載の創傷被覆材および送達システム。
【請求項４】
創傷上に置かれるように構成された創傷被覆材基材であって、曲げやすく吸収性の低い外周によって囲まれた吸収性内部を有する、被覆材基材；
創傷上に前記創傷被覆材基材を置く前には、前記創傷被覆材の基材上に保持され、それが創傷に適用された後には、前記創傷被覆材の基材から除去されるように構成された、被覆材送達基材；
を含む創傷被覆材および送達システムであって、
前記送達基材が、内部に隣接して位置付けられる１つまたは複数の中央部分と、前記被覆材基材の周囲に向かって１つまたは複数の中央部分から放射状に広がる多数の延長部分と、を有する、創傷被覆材および送達システム。
【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
ゴルフボールにおいて、
シェルと、
前記シェルの中に包まれているコア材と、
アンテナに連結されているダイオードを有しており、前記コア材の中に配置され、少なくとも１つのパーフォレーションを有しているタグと、を備えていることを特徴とするゴルフボール。
【請求項２】
ゴルフボールにおいて、
シェルと、
前記シェルの中に包まれているコア材と、
アンテナに連結されている電気要素を有するタグであって、前記コア材の中に配置されており、携帯型送受信装置と前記タグを隔てる距離が少なくとも約２０フィートの範囲に亘って前記携帯型送受信装置で検出可能なタグと、を備えており、
前記ゴルフボールは、耐久性が高く、米国ゴルフ協会のゴルフボール仕様を実質的に満足していることを特徴とするゴルフボール。
【請求項３】
ゴルフボールを発見するためのシステムにおいて、
アンテナに連結されたダイオードを有するタグを備えているゴルフボールと、
携帯型送受信装置と前記タグを隔てる距離が少なくとも約２０フィートの範囲に亘って、前記タグを検出することのできる携帯型送受信装置であって、送信時は、連邦通信委員会の規則を満足している携帯型送受信装置と、を備えていることを特徴とするシステム。
【請求項４】
ゴルフボールを製作する方法において、
第１部分と第２部分を有するコア前駆物質部材を形成する段階と、
前記第１部分と前記第２部分の間に、少なくとも１つのパーフォレーションを有するタグを配置して、組み合わせ部材を作る段階と、
前記組み合わせ部材を金型構造体の中に入れる段階と、
前記金型構造体の中で前記組み合わせ部材をモールド成形して、材料を、前記第１部分と前記第２部分の一方から、前記少なくとも１つのパーフォレーションの中に流し込み、前記第１部分と前記第２部分の他方に接触させる段階と、
前記モールド成形によって得られたコア部材をシェルの中に包み込む段階と、から成ることを特徴とする方法。
【請求項５】
ゴルフボールにおいて、
ボール材料と、
前記ボール材料内に配置されているタグであって、アンテナに並列に連結されている第１ダイオードと第２ダイオードを有しているタグと、を備えていることを特徴とするゴルフボール。
【請求項６】
ゴルフボールにおいて、
ボール材料と、
前記ボール材料内に配置されている高調波タグであって、２つ以上の面に実質的な表面積を有している高調波タグと、を備えていることを特徴とするゴルフボール。
【請求項７】
ゴルフコースを運営するための方法において、
ゴルファーがゴルフボールを見つけ出すシステムを使用するか否か判定する段階と、
前記ゴルファーが前記ゴルフコースでプレイするときに前記システムを使用する場合、前記ゴルファーに合法的な配慮を提供する段階と、から成ることを特徴とする方法。
【請求項８】
ゴルフコースを運営するための方法において、
ゴルファーがゴルフコースでプレイするのを許可する段階と、
ゴルフコースの人員によって、終了したゴルフのラウンドから紛失したゴルフボールを探す段階と、から成ることを特徴とする方法。
【請求項９】
ゴルフコースを運営するための方法において、
ゴルフボールを見つけ出すために携帯型システムを提供する段階と、
ゴルファーに、前記ゴルフコースでプレイしている間は前記携帯型システムを使用することを、前記ゴルフコースを使用する条件として要請する段階と、から成ることを特徴とする方法。
【請求項１０】
ゴルフボールを作る際に使用するためのスラグアッセンブリにおいて、
第１スラグ部分と、
第２スラグ部分と、
前記第１スラグ部分と前記第２スラグ部分の間に配置されているタグであって、前記第１スラグ部分と前記第２スラグ部分の一方は、その面に前記タグを収容するためのボイドを有している、タグと、を備えていることを特徴とするスラグアッセンブリ。
【請求項１１】
ゴルフボールにおいて、
ボール材料と、
前記ボール材料の中に配置されるタグであって、アンテナに連結されているダイオードを有しており、且つ少なくとも１つのパーフォレーションを有しているタグと、を備えていることを特徴とするゴルフボール。
【請求項１２】
ゴルフボールを製作するための方法において、
第１前駆物質部分を形成する段階と、
第２前駆物質部分を形成する段階と、
前記第１前駆物質部分及び前記第２前駆物質部分をタグと共にアッセンブリに組み合わせる段階と、から成ることを特徴とする方法。
【請求項１３】
ゴルフボールを製作するための方法において、
前駆物質部分を形成する段階と、
前記前駆物質部分にボイドを形成する段階と、
タグの少なくとも一部分を前記ボイドに挿入する段階と、から成ることを特徴とする方法。
【手続補正書】
【提出日】平成19年2月27日(2007.2.27)
【手続補正１】
【補正対象書類名】明細書
【補正対象項目名】００７８
【補正方法】変更
【補正の内容】
【００７８】
図２１に示すように、ノズル５０の密封ゾーンは、ノズル５０の高さの約半分からある角度で延在する。図示した実施形態では、ノズル５０は、約９ｍｍの高さを有する。しかし、ノズル５０は、何れかの適切な高さを有してもよく、何れかの適切な密封ゾーンを備えてもよい。
【手続補正２】
【補正対象書類名】明細書
【補正対象項目名】００８０
【補正方法】変更
【補正の内容】
【００８０】
ノズル５０の寸法は、患者の鼻孔の外周に基づいている。一実施形態では、楕円比がノズルの幾何形状を決定するために使用される（図２２参照）。例えば、０．７の楕円比（標準偏差平均＋１）は、ノズル幾何形状を決定するために使用してもよい。図２３に示すように、ノズルの底部長軸は、鼻孔の中心から上縁部までを測定することによって決定される。図２４に示すように、ノズルの底部短軸は、ノズル間で使用可能な最大間隔によって決定される。しかし、他の何れかの適切な方法もノズルの寸法を決定するために使用してもよい。
【手続補正書】
【提出日】平成19年2月8日(2007.2.8)
【手続補正１】
【補正対象書類名】特許請求の範囲
【補正対象項目名】全文
【補正方法】変更
【補正の内容】
【特許請求の範囲】
【請求項１】
アニオン性ヘパリンまたはヘパリン誘導体、カチオン性界面活性剤のイオン性複合体および両性イオン湿潤剤を含む、プラスチック表面にコーティングを供するための溶液または水性エマルジョン。
【請求項２】
シクロヘキサン−１,２−ジカルボン酸＝ビス−２−エチルヘキシルエステルもしくは１,２,４−ベンゼントリカルボン酸＝トリス−２−エチルヘキシルエステルから選択される少なくとも１の非イオン性可塑剤またはヒマシ油もしくはダイズ油より選択される油剤をさらに含む、請求項１に記載の溶液または水性エマルジョン。
【請求項３】
両性イオン湿潤剤がホスファチジルコリンであることを特徴とする請求項１または２に記載の溶液または水性エマルジョン。
【請求項４】
ホスファチジルコリンが植物起源のレシチン、好ましくはダイズ・レシチンであることを特徴とする請求項３に記載の溶液または水性エマルジョン。
【請求項５】
有機溶媒を含むことを特徴とする請求項１に記載の溶液または水性エマルジョン。
【請求項６】
有機溶媒が極性アルコールおよび非極性炭化水素を１：５の比で含むことを特徴とする請求項５に記載の溶液または水性エマルジョン。
【請求項７】
溶液または水性エマルジョン中の両性イオン湿潤剤の含量が１重量％未満であることを特徴とする請求項１に記載の溶液または水性エマルジョン。
【請求項８】
溶液または水性エマルジョン中の両性イオン湿潤剤の含量が０.１重量％未満であることを特徴とする請求項７に記載の溶液または水性エマルジョン。
【請求項９】
溶液または水性エマルジョン中の両性イオン湿潤剤の含量が０.０５重量％未満であることを特徴とする請求項８に記載の溶液または水性エマルジョン。
【請求項１０】
溶液または水性エマルジョン中の非イオン性可塑剤または油剤の含量が１重量％未満であることを特徴とする請求項２に記載の溶液または水性エマルジョン。
【請求項１１】
溶液または水性エマルジョン中の非イオン性可塑剤または油剤の含量が０.１重量％未満であることを特徴とする請求項１０に記載の溶液または水性エマルジョン。
【請求項１２】
溶液または水性エマルジョン中の非イオン性可塑剤または油剤の含量が０.０７５重量％未満であることを特徴とする請求項１１に記載の溶液または水性エマルジョン。
【請求項１３】
カチオン性界面活性剤が４の脂肪族アルキル基を有するアンモニウム化合物であることを特徴とする請求項１に記載の溶液または水性エマルジョン。
【請求項１４】
アンモニウム化合物が、ジメチルジアルキル（Ｃ１０ないしＣ１８）アンモニウム・カチオンであることを特徴とする請求項１３に記載の溶液または水性エマルジョン。
【請求項１５】
溶液または水性エマルジョン中のイオン性複合体の含量が１重量％未満であることを特徴とする請求項１記載の溶液または水性エマルジョン。
【請求項１６】
溶液または水性エマルジョン中のイオン性複合体の含量が０.１ないし０.４重量％であることを特徴とする請求項１記載の溶液または水性エマルジョン。
【請求項１７】
プラスチック表面に供することによって、プラスチック表面の補体活性化を低減することを特徴とする請求項１〜１６いずれか１に記載の溶液または水性エマルジョン。
【請求項１８】
請求項１〜１６いずれか１に記載の溶液または水性エマルジョンをプラスチック表面に適用することによってプラスチック表面の補体活性化を低減する方法。
【請求項１９】
プラスチック表面に付着コーティングとして安定に沈殿することを特徴とする請求項１８に記載の方法。
【請求項２０】
アニオン性ヘパリンまたはヘパリン誘導体、カチオン性界面活性剤のイオン性複合体および両性イオン湿潤剤を含む、プラスチック表面用のコーティング。
【請求項２１】
シクロヘキサン−１,２−ジカルボン酸＝ビス−２−エチルヘキシルエステルもしくは１,２,４−ベンゼントリカルボン酸＝トリス−２−エチルヘキシルエステルから選択される少なくとも１の非イオン性可塑剤またはヒマシ油もしくはダイズ油より選択される油剤をさらに含む、請求項２０に記載のコーティング。
【請求項２２】
両性イオン湿潤剤がホスファチジルコリンであることを特徴とする請求項２０に記載のコーティング。
【請求項２３】
ホスファチジルコリンが植物起源のレシチン、好ましくはダイズ・レシチンであることを特徴とする請求項２２に記載のコーティング。
【請求項２４】
カチオン性界面活性剤が４の脂肪族アルキル基を有するアンモニウム化合物であることを特徴とする請求項２０に記載のコーティング。
【請求項２５】
アンモニウム化合物が、ジメチルジアルキル（Ｃ１０ないしＣ１８）アンモニウム・カチオンであることを特徴とする請求項２４に記載のコーティング。
【請求項２６】
プラスチック表面に供することによって、プラスチック表面の補体活性化を低減することを特徴とする請求項２０〜２５いずれか１に記載のコーティング。
【請求項２７】
請求項２０〜２６いずれか１に記載のコーティングを有する少なくも１のプラスチック表面を有するメディカルデバイス。
【請求項２８】
請求項１８または１９に記載の方法によって補体活性化が低減された少なくとも１のプラスチック表面を有するメディカルデバイス。
【請求項２９】
血液と接触するに至るデバイスの、心肺機器、酸素送給器、カテーテル、人工心臓、人工腎臓、ガス交換膜または脈管人工器具のディスポーザブル取り付けの一部であることを特徴とする、請求項２７または２８に記載のメディカルデバイス。
【請求項３０】
プラスチック表面がＰＰ、ＰＣ、ＰＭＰ、ＰＵ、ＰＥ、ポリエステル、シリコーン、硬質または可塑化ＰＶＣからなることを特徴とする請求項２７〜２９いずれか１に記載のメディカルデバイス。
【手続補正書】
【提出日】平成19年2月8日(2007.2.8)
【手続補正１】
【補正対象書類名】特許請求の範囲
【補正対象項目名】請求項１
【補正方法】変更
【補正の内容】
【請求項１】
心臓脱分極の検出によってセンス事象を生成するための、ＥＧＭセンス回路と結合された電位図（ＥＧＭ）センス電極と、機械的交互脈（ＭＰＡ）の関数として心不全状態を評価するための、心腔内に配設され、かつ、血圧測定回路に結合された血圧測定トランスジューサとを有する、患者の体内に埋め込まれた埋め込み可能心臓モニタを動作させる方法であって、
前記血圧測定トランスジューサを動作させて、血圧測定値を作成するステップと、
該血圧測定値から前記患者の心臓のＭＰＡエピソードの開始を検出するステップと、
前記ＭＰＡエピソードの少なくとも１つのＭＰＡ特性を求めるステップと、
前記ＭＰＡ特性から心不全状態を評価するステップと、
を備える埋め込み可能心臓モニタを動作させる方法。
【手続補正２】
【補正対象書類名】特許請求の範囲
【補正対象項目名】請求項２６
【補正方法】変更
【補正の内容】
【請求項２６】
一連の記憶されたアベレジＭＰＡマグニチュードデータ点を比較することにより、前記記憶されたアベレジＭＰＡマグニチュードデータ点が、心不全状態の改善を示す減少するＭＰＡマグニチュード傾向を示すか、心不全状態の悪化を示す増加するＭＰＡマグニチュード傾向を示すか、または安定している心不全状態を示すほぼ不変のＭＰＡマグニチュード傾向を示すかを判定する手段をさらに含む請求項２５に記載の埋め込み可能心臓モニタを動作させるシステム。
【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
基板と、
前記基板上に配置されたオーバーコート層と、
前記オーバーコート層内にある少なくとも一つの空気領域と、
内側表面及び向かい合う外側表面とを有し、前記内側表面は前記空気領域の少なくとも一部分と係合し、前記向かい合う外側表面は前記オーバーコート層と係合するフレーミング材料層と、
を含むマイクロ構造。
【請求項２】
前記オーバーコート層が、ポリイミド、ポリノルボルネン、エポキシド、ポリアリーレンエーテル、ポリアリーレン、無機ガラス及びこれらの組み合わせから選択される、請求項１のマイクロ構造。
【請求項３】
前記フレーミング材料が、ＳｉＯ2、Ｓｉ3Ｎ4、ＳｉＯxＮy、ここでｘは０．０１乃至
２であり、ｙは０．０１乃至１．３３である、及びＡｌ2Ｏから選択される、請求項１の
マイクロ構造。
【請求項４】
前記空気領域は高さが約０．０１乃至１００マイクロメートルであり、幅が約０．１乃至１０，０００マイクロメートルである、請求項１のマイクロ構造。
【請求項５】
第１の空気領域が、第２の空気領域の上方で前記第２の空気領域からほぼオフセットして配置される、請求項１のマイクロ構造。
【請求項６】
犠牲ポリマー層が配置された基板を提供することと、
前記犠牲ポリマー層をパターニングして複数の犠牲ポリマー領域を形成すること、
各犠牲ポリマー領域の少なくとも一部分の上に、その内側表面が各犠牲ポリマー領域の少なくとも一部分と係合するフレーミング材料を配置することと、
前記フレーミング材料の上にオーバーコート層を配置し、前記オーバーコート層は前記フレミング材料の外側表面と係合して各犠牲ポリマー領域を前記オーバーコート層から実質的に分離させることと、
を含む請求項１乃至５のいずれか一項に記載のマイクロ構造を製造する方法。
【請求項７】
熱分解により各領域から前記犠牲ポリマーを除去して空気領域を形成する請求項６の方法。
【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
８〜５０個のヌクレオチドおよび／またはヌクレオチドアナログを含む化合物であって、ここで、
該化合物は、少なくとも８個のヌクレオチドまたはヌクレオチドアナログの部分配列を含み、ここで、該部分配列は、配列番号：２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４および７５からなる群から選ばれる配列内にある、
該化合物。
【請求項２】
Ｈａ−ラス、Ｋｉ−ラス、またはＮ−ラスから選ばれるラスの発現を改変する、請求項１記載の化合物。
【請求項３】
Ｈａ−ラスをコードする核酸分子を標的とする８〜５０個のヌクレオチドおよび／またはヌクレオチドアナログを含む化合物であって、ここで、
該化合物は、Ｈａ−ラスをコードする核酸と特異的にハイブリダイズし、Ｈａ−ラスの発現を抑制し、そして、
該化合物は、少なくとも８個のヌクレオチドまたはヌクレオチドアナログの部分配列を含み、ここで、該部分配列は、配列番号：２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４および７５からなる群から選ばれる配列内にある、
該化合物。
【請求項４】
アンチセンスオリゴヌクレオチドである、請求項１〜３のいずれか１つに記載する化合物。
【請求項５】
少なくとも１つのヌクレオチドアナログを含む、請求項１〜４のいずれか１つに記載する化合物。
【請求項６】
少なくとも１個のロックト核酸（ＬＮＡ）単位を含む、請求項１〜５のいずれか１つに記載する化合物。
【請求項７】
ロックト核酸（ＬＮＡ）は、一般式：
【化１】
2006518197.tif 000001
［式中、
ＸおよびＹは独立して、−Ｏ−、−Ｓ−、−Ｎ(Ｈ)−、Ｎ(Ｒ)−、−ＣＨ２−、または−ＣＨ−（二重結合の部分の場合）、−ＣＨ２−Ｏ−、−ＣＨ２−Ｓ−、−ＣＨ２−Ｎ(Ｈ)−、−ＣＨ２−Ｎ(Ｒ)−、−ＣＨ２−ＣＨ２−、または−ＣＨ２−ＣＨ−（二重結合の部分の場合）、または−ＣＨ＝ＣＨ−から選ばれて、ここで、Ｒは水素またはＣ１〜４−アルキルであり；
ＺおよびＺ＊は独立して、存在しないか、またはヌクレオシド間連結、末端基もしくは保護基から選ばれ；
Ｂは、天然または非天然の核酸塩基を構成し；そして、
不斉基はいずれかの配向で存在し得る］
で示される構造を有する、請求項６記載の化合物。
【請求項８】
ロックト核酸（ＬＮＡ）単位は、式：
【化２】
2006518197.tif 000002
［式中、
Ｙは、−Ｏ−、−Ｓ−、−ＮＨ−、またはＮ(Ｒ)であり；そして、
Ｚ、Ｚ＊およびＲは請求項７に定義する通りである］
のいずれかの構造を有する、請求項７記載の化合物。
【請求項９】
ヌクレオシド間連結は、−Ｏ−Ｐ(Ｏ)２−Ｏ−、−Ｏ−Ｐ(Ｏ,Ｓ)−Ｏ−、−Ｏ−Ｐ(Ｓ)２−Ｏ−、−Ｓ−Ｐ(Ｏ)２−Ｏ-、−Ｓ−Ｐ(Ｏ,Ｓ)−Ｏ−、−Ｓ−Ｐ(Ｓ)２−Ｏ−、−Ｏ−Ｐ(Ｏ)２−Ｓ−、−Ｏ−Ｐ(Ｏ,Ｓ)−Ｓ−、−Ｓ−Ｐ(Ｏ)２−Ｓ−、−Ｏ−ＰＯ(ＲＨ)−Ｏ−、Ｏ−ＰＯ(ＯＣＨ３)−Ｏ−、−Ｏ−ＰＯ(ＮＲＨ)−Ｏ−、−Ｏ−ＰＯ(ＯＣＨ２ＣＨ２Ｓ−Ｒ)−Ｏ−、−Ｏ−ＰＯ(ＢＨ３)−Ｏ−、−Ｏ−ＰＯ(ＮＨＲＨ)−Ｏ−、−Ｏ−Ｐ(Ｏ)２−ＮＲＨ−、−ＮＲＨ−Ｐ(Ｏ)２−Ｏ−、および−ＮＲＨ−ＣＯ−Ｏ−からなる群から選ばれ、ここで、ＲＨは水素またはＣ１〜４−アルキルである、請求項１〜８のいずれか１つに記載する化合物。
【請求項１０】
ヌクレオチドアナログは、５−メチルシトシン、イソシトシン、シュードイソシトシン、５−ブロモウラシル、５−プロピニルウラシル、６−アミノプリン、２−アミノプリン、イノシン、ジアミノプリン、および２−クロロ−６−アミノプリンからなる群から選ばれる修飾核酸塩基である、請求項１〜９のいずれか１つに記載する化合物。
【請求項１１】
ＬＮＡは、β−Ｄまたはα−Ｌのいずれかの立体配置またはそれらの組み合わせであるオキシ−ＬＮＡ、チオ−ＬＮＡ、アミノ−ＬＮＡである、請求項６〜１０のいずれか１つに記載する化合物。
【請求項１２】
該配列は、配列番号：２、３、４、５、６、７、８、９、１０、１１、１２、１３、１４、１５および７５からなる群から選ばれる、請求項１〜１１のいずれか１つに記載する化合物。
【請求項１３】
アンチセンスオリゴヌクレオチドは、図１に提示するいずれかのデザインに従うデザインのものである、請求項１〜１２のいずれか１つに記載する化合物。
【請求項１４】
アンチセンスオリゴヌクレオチドはギャップマーである、請求項１３記載の化合物。
【請求項１５】
アンチセンスオリゴヌクレオチドは、１３、１４、１５、１６、１７、１８、１９、２０または２１個のヌクレオチドを含む、請求項１〜１４のいずれか１つに記載する化合物。
【請求項１６】
２、３、４、５、６、７、８、９、１０、１１、１２、１３、１４、１５、１６、１７、１８、１９、２０または２１個のＬＮＡ単位を含む、請求項１〜１５のいずれか１つに記載する化合物。
【請求項１７】
請求項１〜１６のいずれか１つに記載する化合物、および該化合物と共有結合した非ヌクレオチドまたは非ポリヌクレオチド分子の少なくとも１つを含有する、接合体。
【請求項１８】
請求項１〜１６のいずれか１つに記載する化合物または請求項１７に記載の接合体、および医薬的に許容し得る希釈物、担体またはアジュバントを含有する、医薬組成物。
【請求項１９】
更に、少なくとも１つの化学療法薬を含有する、請求項１８記載の医薬組成物。
【請求項２０】
医薬として使用するための、請求項１〜１６のいずれか１つに記載する化合物または請求項１７に記載の接合体。
【請求項２１】
癌の処置のための医薬の製造における、請求項１〜１６のいずれか１つに記載する化合物または請求項１７に記載の接合体の使用。
【手続補正書】
【提出日】平成19年2月8日(2007.2.8)
【手続補正１】
【補正対象書類名】明細書
【補正対象項目名】００２７
【補正方法】変更
【補正の内容】
【００２７】
【図１】本発明の実施形態が適用される８０２．１１のＭＡＣ層を示す図である。
【図２】本発明の実施形態が適応される通信システムを示す図である。
【図３】本発明の実施形態に係る特定のＱｏＳ基本サービス・セット（ＱＢＳＳ）内のＱｏＳ可能アクセス・ポイント（ＱＡＰ）および非ＡＰ  ＱｏＳ可能ステーション（ＱＳＴＡ）の関連部分の簡易ブロック図である。
【図４】最後のダウンリンク・データ・フレームがサービス期間中の単一のフレームでないときに、同期を維持するための動作ステップを示すフローチャートである。
【図５】最後のダウンリンク・データ・フレームがサービス期間中の最初で単一のフレームでもあった場合のＱＡＰの処理を示すフローチャートである。
【図６】最後のダウンリンク・データ・フレームがサービス期間中の最初で単一のフレームでもあるときに、同期を維持するための動作ステップを示すフローチャートである。
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
電子チップと、
側壁及び底部を有するチップキャリア部とを備え、
電子チップはチップキャリア部の底部の上に搭載され、
チップキャリア部は電子チップを電子部品の外部の放射線から遮蔽する、電子部品。
【請求項２】
チップキャリア部は銅および放射線遮蔽材から構成される請求項１に記載の電子部品。
【請求項３】
電子チップと、
電子チップ上に位置する強磁性放射線遮蔽層と、
底部及び側壁を有するチップキャリア部を含むリードフレームとを備え、
前記側壁及び底部は単一構造体を形成し、
前記側壁及び底部は、各々、
銅からなる第１層と、
強磁性放射線遮蔽層により構成される第２層とを備え、
電子チップはチップキャリア部の上に搭載される、電子部品。
【請求項４】
電子部品を製造する方法であって、
側壁及び放射線遮蔽材を有するチップキャリア部を設ける工程と、
電子チップの上面に隣接した放射線遮蔽層を有する電子チップを設ける工程と、
電子チップをチップキャリア部の上に、電子チップの上面がチップキャリア部から離反して向くように搭載する工程と、
モールドコンパウンドを電子チップ及びチップキャリア部の周囲に形成する工程とを備える方法。
【請求項５】
チップキャリア部を設ける工程は、強磁性材料を含む放射線遮蔽材を設ける工程を含み、
放射線遮蔽層を形成する工程は、強磁性材料を含む放射線遮蔽層を形成する工程を含む請求項４に記載の方法。
【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
後続のターゲット材堆積のためのシリコン基板を改質するバッファ構造であって、バッファ構造が、ＩＩＩＢ族窒化物合金を含む組成傾斜バッファ層を含み、前記合金が、前記傾斜を達成する深さとともに相対量が変化する２つ以上のＩＩＩＢ族元素を含むバッファ構造。
【請求項２】
合金が、ランタン、スカンジウムおよびイットリウムから選択された少なくとも２つのＩＩＩＢ族元素を含む請求項１に記載のバッファ構造。
【請求項３】
合金が、Ｌａ（１−ｘ）ＳｃｘＮ（０＜ｘ＜１）、Ｌａ（１−ｙ）ＹｙＮ（０＜ｙ＜１）、Ｙ（１−ｚ）ＳｃｚＮ（０＜ｚ＜１）、およびＬａ（１−ｘ−ｙ）ＳｃｘＹｙＮ（０＜ｘ＜１、０＜ｙ＜１、ｘ＋ｙ＜１）からなる群から選択される請求項２に記載のバッファ構造。
【請求項４】
合金が、組成傾斜窒化ランタンスカンジウム合金である請求項３に記載のバッファ構造。
【請求項５】
請求項１から４のいずれかに記載のバッファ構造、および前記バッファ層上に設けられたターゲット材層を含む結晶構造。
【請求項６】
ＩＩＩＢ族窒化物合金からなる定組成の副層が、ターゲット材下方のバッファ層の上部領域内に堆積される請求項５に記載の結晶構造。
【請求項７】
ターゲット材が、立方晶構造または六方晶構造を有する任意の酸化物または窒化物である請求項５または６に記載の結晶構造。
【請求項８】
ターゲット材が、ＡｌＮ、ＩｎＮおよびＧａＮ、またはそれらの合金のうちいずれか１つを含むＩＩＩ−Ｖ族半導体である請求項７に記載の結晶構造。
【請求項９】
ＩＩＩ−Ｖ族半導体が、窒化ガリウムを含む請求項８に記載の結晶構造。
【請求項１０】
バッファ構造が、シリコン基板上に設けられる請求項５から９のいずれか一項に記載の結晶構造。
【請求項１１】
請求項５から１０のいずれか一項に特定された結晶構造を含む半導体デバイス。
【請求項１２】
後続のターゲット材堆積のためのシリコン基板を改質するバッファ構造を形成する方法であって、方法が、シリコン基板上にＩＩＩＢ族窒化物合金を含む組成傾斜バッファ層を成長させる段階を含み、前記合金が、前記傾斜を達成する深さとともに相対量が変化する２つ以上のＩＩＩＢ族元素を含む方法。
【請求項１３】
バッファ構造が、請求項２から４のいずれか一項または複数項に特定される請求項１２に記載の方法。
【請求項１４】
ターゲット材層が、バッファ構造上に続いて堆積される請求項１２または１３に記載の方法。
【請求項１５】
半導体デバイスを形成する処理段階をさらに含む請求項１４に記載の方法。
【請求項１６】
ヘテロエピタキシャル成長をその上で行うシリコン基板を改質するためのＩＩＩＢ族窒化物合金からなる組成傾斜中間層の使用。
【請求項１７】
添付の図面を参照して実質的に先に説明されたバッファ構造。
【請求項１８】
添付の図面を参照して実質的に先に説明されたバッファ構造を形成する方法。
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
装置に誘導的に電力供給するための非接触電源であって、
タンク回路、
前記タンク回路の動作パラメータを感知するためのセンサ、及び
前記センサに結合された、前記センサに応じて前記タンク回路を設定するための制御装置
を備え、
前記タンク回路は可変コンデンサを含み、前記制御装置は前記可変コンデンサのキャパシタンスを調節するために前記可変コンデンサに結合され、
前記タンク回路は可変インダクタを含み、前記制御装置は前記可変コンデンサのインダクタンスを調節するために前記可変インダクタに結合され、
前記タンク回路は一次巻線を含む、
前記非接触電源。
【請求項２】
前記一次巻線と前記可変インダクタとは別個である、請求項１に記載の非接触電源。
【請求項３】
前記一次巻線と前記可変インダクタとは一体化している、請求項２に記載の非接触電源。
【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
受信された視聴覚信号を与えられた期間の間スクランブル解除するために利用される暗号化されたコントロールワード（ＣＷ）を有する第一メッセージ（ＥＣＭ）とユーザー権利割り当て情報を備える第二メッセージ（ＥＭＭ）との２つの形式のメッセージをデコーダへ送信する送信ステップと、
ユーザーが前記ユーザー権利割り当て情報へアクセスすることを認可されている場合に、デコーダ（１１）によって受信された前記視聴覚信号のスクランブル解除のためのコントロールワード（ＣＷ）を作成するように、デコーダ又は関連するポータブルオブジェクトで第一メッセージを暗号解読する暗号解読ステップとを備え、
少なくとも１つの暗号化されたコントロールワードとデコーダアドレスと権利失効情報との組み合わせに起因する第三ハイブリッドメッセージ（Ｅ３Ｍ）を送信することを特徴とするデコーダ（１１）によって受信された視聴覚プログラムへのアクセス権失効方法。
【請求項２】
ハイブリッドメッセージ（Ｅ３Ｍ）においては、コントロールワード（ＣＷ）は、デコーダアドレスと権利失効情報とを暗号化するのに利用される固有キーとは異なる活用キーによって暗号化されていることを特徴とする請求項１に記載のデコーダ（１１）によって受信された視聴覚プログラムへのアクセス権失効方法。
【請求項３】
非対称な暗号が用いられることを特徴とする請求項１に記載のデコーダ（１１）によって受信された視聴覚プログラムへのアクセス権失効方法。
【請求項４】
加入者と加入者の権利との識別子を格納する加入者管理ユニット（２０）と、ＥＭＭメッセージ暗号化ユニット（２１）と、前記加入者管理ユニット（２０）によって制御される加入者認可システム（２２）と、視聴覚プログラムのＭＰＥＧコンプレッサー（２３）と、ＥＣＭメッセージ暗号化ユニット（２４）と、スクランブラー／マルチプレクサー（２５）と、スマートカード（２７）と関連した少なくとも１つのデコーダ（２６）と、コミュニケーション・サーバー（３０）と、スーパーバイザ（３１）と、スクランブラー／マルチプレクサー（２５）及びデコーダ（２６）の間のコネクション（３２）とを備え、
ＥＭＭメッセージフィールドとＥＣＭメッセージフィールドとの組み合わせユニットを備え、該ユニットは、有料視聴覚番組の各チャンネルについて、ＥＭＭ失効メッセージ（４０）及びマルチプレクサー（４１）に対するメッセージ列と、スクランブラー／マルチプレクサー（２５）のインプット側に配置される各フィールド組み合わせユニットとを備えることを特徴とする有料テレビジョンシステム。
【請求項５】
デコーダに送信されると共に少なくとも１つの暗号化されたコントロールワードとデコーダアドレスと権利失効情報との組み合わせに起因するハイブリッドメッセージ（Ｅ３Ｍ）を処理するために特別に適合され、そのメモリーに記録されている権利を消去する消去手段と、コントロールワードを作成するための現在の活用キーを用いて暗号化されたコントロールワードを暗号解読する暗号解読手段とを備えることを特徴とするスマートカード。
【請求項６】
送信されてくると共に少なくとも１つの暗号化されたコントロールワードとデコーダアドレスと権利失効情報との組み合わせに起因するハイブリッドメッセージ（Ｅ３Ｍ）を処理するために特別に適合され、そのメモリーに記録されている権利を消去する消去手段と、コントロールワードを作成するための現在の活用キーを用いて暗号化されたコントロールワードを暗号解読する暗号解読手段とを備えることを特徴とするデコーダ。
【請求項７】
受信された視聴覚信号を与えられた期間の間スクランブル解除するために利用される暗号化されたコントロールワード（ＣＷ）を有する第一メッセージ（ＥＣＭ）とユーザー権利割り当て情報を備える第二メッセージ（ＥＭＭ）との２つの形式のメッセージをデコーダにて受信する受信ステップと、
ユーザーが前記ユーザー権利割り当て情報へアクセスすることを認可されている場合に、デコーダ（１１）によって受信された前記視聴覚信号のスクランブル解除のためのコントロールワード（ＣＷ）を作成するように、デコーダ又は関連するポータブルオブジェクトで第一メッセージを暗号解読する暗号解読ステップとを備え、
暗号化されたコントロールワードとデコーダアドレスと権利失効情報との組み合わせに起因する第三ハイブリッドメッセージ（Ｅ３Ｍ）を受信することを特徴とするデコーダ（１１）によって受信された視聴覚プログラムへのアクセス権失効方法。
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
位相同期ループ（ＰＬＬ）シンセサイザにおいて少なくとも１つの電圧制御発振器（ＶＣＯ）を粗調整するためのシステムであって、
ＶＣＯ周波数と基準周波数との間の位相差があることを判定し、かつ前記ＶＣＯ周波数と基準周波数との位相差が２πラジアン以上の場合に誤差信号を出力するための位相周波数検出器（ＰＦＤ）と、
前記ＰＦＤに生成された誤差信号の数を追従するための監視装置とを有し、
前記ＶＣＯの自走周波数は前記監視装置の回路がほぼ所定のレベルに到達する場合に粗調整され得るシステム。
【請求項２】
電圧制御発振器（ＶＣＯ）の自走周波数と所定の基準周波数との間の位相差に基づき少なくとも１つのＶＣＯを粗調整するためのシステムを有する位相同期ループ（ＰＬＬ）シンセサイザであって、
前記ＶＣＯの自走周波数と前記所定の基準周波数との間の前記位相差を検出し、かつ前記ＶＣＯの自走周波数と前記所定の基準周波数との間の前記位相差が３６０度以上である時に補正信号を出力するための位相周波数検出器（ＰＦＤ）と、
前記ＰＦＤに生成された補正信号の数を監視するための少なくとも１つの制御装置と、
前記ＰＬＬを開ループ状態および閉ループ状態の両方に割り当てるためのマルチプレクサ（ＭＵＸ）とを有し、
前記少なくとも１つの制御装置における補正信号の計数が所定のレベルに到達した時に、前記少なくとも１つの制御装置は、前記ＭＵＸが前記ＰＬＬを開ループ状態に変化させるように制御し、かつ前記少なくとも１つのＶＣＯの自走周波数を粗調整するＰＬＬシンセサイザ。
【請求項３】
位相同期ループ（ＰＬＬ）シンセサイザにおいて少なくとも１つの電圧制御発振器（ＶＣＯ）を粗調整モードで粗調整するための方法であって、
前記少なくとも１つのＶＣＯの動作周波数と所定の基準周波数との間の位相差を計測する計測工程と、
２πラジアンより大きな位相差に応じて誤差補正信号を出力する誤差補正信号出力工程と、
少なくとも１つの制御装置を用いて前記誤差補正信号の数を監視する監視工程と、
前記誤差補正信号の数が所定の数に達したことに基づいて前記ＰＬＬシンセサイザを開とする開工程と、
前記ＶＣＯの前記動作周波数を前記基準周波数とほぼ一致させるために前記ＶＣＯを粗調整する粗調整工程とから成る方法。
【手続補正書】
【提出日】平成19年2月6日(2007.2.6)
【手続補正１】
【補正対象書類名】特許請求の範囲
【補正対象項目名】請求項１
【補正方法】変更
【補正の内容】
【請求項１】
必要とされるサービスの位置決め品質（ＬＱｏＳ）パラメータを捕捉すること；
実際のＬＱｏＳ値を決定すること；
実際のＬＱｏＳ値が必要とされるＬＱｏＳパラメータを満足するかどうかを決定すること；及び
前記決定に基づいて位置決めサービス利用可能性の表示を提供すること、ここにおいて、実際のＬＱｏＳ値が必要とされるＬＱｏＳパラメータを満足する時に、前記位置決めサービス利用可能性の表示は、位置決めサービスを要求する前に位置決めサービスが利用可能であることの表示を提供する、
を具備する、移動局に関する位置決めサービスの品質が位置決めサービスを提供するために十分であるかどうかの表示を提供するための方法。
【手続補正２】
【補正対象書類名】特許請求の範囲
【補正対象項目名】請求項１６
【補正方法】変更
【補正の内容】
【請求項１６】
複数の送信機から複数の信号を受信し、処理する受信機ユニット；及び
下記を行うために受信機ユニットに接続されたプロセッサ：
必要とされるサービスの位置決め品質（ＬＱｏＳ）パラメータを捕捉する；
実際のＬＱｏＳ値を決定する；
実際のＬＱｏＳ値が必要とされるＬＱｏＳパラメータを満足するかどうかを決定する；及び
前記決定に基づいて位置決めサービス利用可能性の表示を提供する、ここにおいて、実際のＬＱｏＳ値が必要とされるＬＱｏＳパラメータを満足する時に、前記位置決めサービス利用可能性の表示は、位置決めサービスを要求する前に位置決めサービスが利用可能であることの表示を提供する、
を具備する、位置決めサービスの品質が位置決めサービスを提供するために十分であるかどうかの表示を提供する移動局。
【手続補正３】
【補正対象書類名】特許請求の範囲
【補正対象項目名】請求項３３
【補正方法】変更
【補正の内容】
【請求項３３】
移動局に位置決めサービスを提供するために必要である、必要とされるサービスの位置決め品質（ＬＱｏＳ）パラメータを捕捉すること；
実際のＬＱｏＳ値を決定すること；
実際のＬＱｏＳ値が必要とされるＬＱｏＳパラメータを満足するかどうかを決定すること；及び
前記決定に基づいて位置決めサービス利用可能性表示を提供すること、ここにおいて、実際のＬＱｏＳ値が必要とされるＬＱｏＳパラメータを満足する時に、前記位置決めサービス利用可能性の表示は、位置決めサービスを要求する前に位置決めサービスが利用可能であることの表示を提供する、
を具備する、機械により実行される場合に、機械に上記の操作を実行させるようにする、自身に記憶された命令を有する機械読み取り可能な媒体。
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
ａ）アクリレートポリマーおよびエチレンジアミンホスフェートを含む第１の層と、
ｂ）アイオノマーポリマーを含む、透明であってもよい第２の層と
を含むことを特徴とする物品。
【請求項２】
シートの形状である請求項１に記載の物品であって、
該物品が、壁、天井、床用の被覆材、および自動車、オートバイ、またはトラック用の外面または内面の被覆材からなる群から選択され、かつ
該物品が、ドイツ工業規格研究所の方法によって測定されたＤＩＮ１４０２−１４の耐熱性を有することを特徴とする物品。
【請求項３】
前記アイオノマーポリマーが、エチレン系ポリマー、エチレン系コポリマーとエチレン性不飽和Ｃ３−Ｃ８カルボン酸とのコポリマー、１つまたは複数の軟化剤を有する、エチレン系コポリマーとエチレン性不飽和Ｃ３−Ｃ８カルボン酸とのコポリマー、および前記ポリマーまたはコポリマーの２つ以上の混合物からなる群から選択されることを特徴とする、請求項２に記載の物品。
【請求項４】
前記アイオノマーがサーリン樹脂（Ｓｕｒｌｙｎ  ｒｅｓｉｎ）であり、かつ前記アクリレートポリマーが、エチレンとメチル、エチル、またはブチルアクリレートとのコポリマーであることを特徴とする請求項３に記載の物品。
【請求項５】
前記エチレンジアミンホスフェートが約５１重量パーセント〜約８０重量パーセント、または約６０重量パーセント〜約６５重量パーセントの範囲において存在することを特徴とする請求項４に記載の物品。
【手続補正２】
【補正対象書類名】明細書
【補正対象項目名】００２５
【補正方法】変更
【補正の内容】
【００２５】
好ましくは第１の層は、約０．５〜約２ｍｍの厚さを有し、第２の層は、約０．３〜約０．６ｍｍの厚さを有する。本発明のシートはまた、接着剤層、装飾層、着色層、および安定層などがあるがそれらに限定されない、付加的な層を含むことができる。
【手続補正３】
【補正対象書類名】明細書
【補正対象項目名】００２６
【補正方法】変更
【補正の内容】
【００２６】
例えばビニルタイルおよびビニルシートなどの、表面の弾性被覆材が公知である。それらは、例えば、「床材料（Ｆｌｏｏｒｉｎｇ  Ｍａｔｅｒｉａｌｓ）」と題された論文、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ、ワイリー・インターサイエンス（Ｗｉｌｅｙ-Ｉｎｔｅｒｓｃｉｅｎｃｅ）、第７巻（１９８７年）、２３３〜２４７ページに記載されている。かかる被覆材は、その論文に記載されているように、透明または半透明摩耗（上）層、印刷パターン化層などの装飾層、および１つまたは複数の裏（下）層を含む複合材料である。その論文による弾性ビニル被覆材の摩耗層は典型的に、可塑化ＰＶＣ（ポリ塩化ビニル）組成物からなる。印刷パターン化層は例えば、印刷アクリルフィルムまたはＰＶＣフィルムであってもよい。印刷パターン化層に隣接した裏層は一般に、１つまたは複数の白色または他の有色顔料を含有し、摩耗層を通して見られたときに印刷パターン化層の外観を向上させ、裏層のこのタイプは、フェースプライ（ｆａｃｅ  ｐｌｙ）と呼ばれることがある。かかる複合被覆材は一般に積層体であり、積層体の各層の組成物は、全体として、その層と床被覆材との両方の物理的性質の望ましいバランスをもたらすように選択される。１つまたは複数の裏層に積層された装飾的、例えば着色された不透明なビニル摩耗層を含む弾性被覆材もまた、公知である。
以下に本明細書に記載の発明を列記する。
１．  ａ）アクリレートポリマーおよびエチレンジアミンホスフェートを含む第１の層と、
ｂ）アイオノマーポリマーを含む第２の層と
を含むことを特徴とする物品。
２．  シートの形状であることを特徴とする、前記１．に記載の物品。
３．  壁、天井、床用の前記２．のシートからなる被覆材、および自動車、オートバイ、またはトラック用の外面または内面の前記２．のシートからなる被覆材からなる群から選択されることを特徴とする、物品。
４．  耐燃性が、ドイツ工業規格研究所の方法によって測定されたＤＩＮ１４０２−１４であることを特徴とする、前記１．に記載の物品または前記２．に記載のシート。
５．  前記アイオノマーポリマーが透明であることを特徴とする、前記１．に記載の物品または前記２．に記載のシート。
６．  前記アイオノマーポリマーが、エチレン系ポリマー、エチレン系コポリマーとエチレン性不飽和Ｃ３−Ｃ８カルボン酸とのコポリマー、１つまたは複数の軟化剤を有する、エチレン系コポリマーとエチレン性不飽和Ｃ３−Ｃ８カルボン酸とのコポリマー、および前記ポリマーまたはコポリマーの２つ以上の混合物からなる群から選択されることを特徴とする、前記４．に記載の物品またはシート。
７．  前記アイオノマーがサーリン樹脂（Ｓｕｒｌｙｎ  ｒｅｓｉｎ）であることを特徴とする、前記１．に記載の物品または前記２．に記載のシート。
８．  前記アクリレートポリマーが、エチレンとメチル、エチル、またはブチルアクリレートとのコポリマーであることを特徴とする、前記１．に記載の物品または前記２．に記載のシート。
９．  前記エチレンジアミンホスフェートが約５１重量パーセント〜約８０重量パーセントの範囲において存在することを特徴とする、前記１．に記載の物品または前記２．に記載のシート。
１０．  前記エチレンジアミンホスフェートが約６０重量パーセント〜約６５重量パーセントの範囲において存在することを特徴とする、前記９．に記載の物品またはシート。